(57)【要約】【課題】広告露出量の適正化を図り、広告費用の低減や過剰露出による消費者からのイメージダウン回避を可能とする。【解決手段】広告コンテンツの閲覧実績データを各ユーザ端末２００より取得し広告閲覧ログテーブル１２５に格納するログ取得部１１０と、広告閲覧ログテーブル１２５に格納された閲覧実績データを抽出し広告コンテンツ毎に集計して各広告コンテンツの閲覧実績を算定しメモリ１０３に格納する閲覧実績算定部１１１と、広告コンテンツ毎の閲覧実績と広告コンテンツの必要露出量の情報とを比較し広告コンテンツが必要露出量だけ露出されたか否か判定する露出量判定部１１２と、広告コンテンツが必要露出量だけ露出されたと判定された場合ユーザ端末２００を特定し該当広告コンテンツの削除または閲覧停止の指示を通知する閲覧終了指示部１１３とからシステム１００を構成する。【選択図】図１
2008009550.tif 000002
【特許請求の範囲】
【請求項１】
ユーザ端末での広告露出量の制御を行うシステムであって、
ユーザ端末で閲覧された広告コンテンツの閲覧実績データを各ユーザ端末より取得し、この閲覧実績データを広告閲覧ログテーブルに格納するログ取得部と、
前記広告閲覧ログテーブルに格納された閲覧実績データを抽出し、抽出した各閲覧実績のデータを広告コンテンツ毎に集計して各広告コンテンツの閲覧実績を算定しメモリに格納する、閲覧実績算定部と、
前記メモリに格納されている広告コンテンツ毎の閲覧実績と、広告コンテンツ毎の必要露出量の情報を記憶する広告露出量テーブルにおける該当広告コンテンツの必要露出量の情報とを比較し、前記広告コンテンツが必要露出量だけ露出されたか否か判定する、露出量判定部と、
前記判定の結果、前記広告コンテンツが必要露出量だけ露出されたと判定された場合、該当広告コンテンツの閲覧をしているユーザ端末を前記広告閲覧ログテーブルで特定し、ここで特定したユーザ端末に対し、該当広告コンテンツの削除または閲覧停止の指示を通知する、閲覧終了指示部と、
を備える広告露出量制御システム。
【請求項２】
広告コンテンツと広告コンテンツの配信先であるユーザ端末とを対応付けて記憶する配信情報テーブルと、
前記判定の結果、前記広告コンテンツが必要露出量だけ露出されたと判定された場合、該当広告コンテンツの閲覧を行ったユーザ端末が未登録の広告コンテンツを前記配信情報テーブルにて所定数検索し、ここで検索した所定数の広告コンテンツを前記ユーザ端末に対し配信する、配信処理部と、
を備える請求項１に記載の広告露出量制御システム。
【請求項３】
前記広告露出量テーブルにおける必要露出量の情報は、閲覧人数、閲覧回数、および閲覧時間の少なくともいずれかまたはこれらの組合せであり、
前記ログ取得部がユーザ端末から取得する閲覧実績データは、閲覧回数と閲覧時間の少なくともいずれかであり、
前記閲覧実績算定部は、前記広告閲覧ログテーブルより閲覧実績データとして、閲覧回数および閲覧時間の少なくともいずれかのデータを抽出するか、または閲覧実績データの含むユーザ端末の情報から閲覧人数を算定し、前記閲覧人数、閲覧回数、および閲覧時間の少なくともいずれかのデータを広告コンテンツ毎に集計して各広告コンテンツの閲覧実績を、閲覧人数、閲覧回数、および閲覧時間の少なくともいずれかについて算定しメモリに格納するものであり、
前記露出量判定部は、メモリに格納されている広告コンテンツ毎の閲覧実績たる閲覧人数、閲覧回数、および閲覧時間の少なくともいずれかまたはこれらの組合せと、前記広告露出量テーブルにおける該当広告コンテンツの必要露出量の情報とを比較し、前記広告コンテンツが必要露出量だけ露出されたか否か判定するものである、
ことを特徴とする、請求項１または２に記載の広告露出量制御システム。
【請求項４】
前記広告露出量テーブルにおける必要露出量の情報は、広告コンテンツ閲覧に伴ってユーザ端末での実行が期待される、メール送信、ＵＲＬ表示クリック、電話発呼、広告の詳細情報表示指示の少なくともいずれかのアクションの有無または処理総数の少なくともいずれかであり、
前記ログ取得部が取得する閲覧実績データは、前記アクションの有無または処理回数の少なくともいずれかであり、
前記閲覧実績算定部は、前記広告閲覧ログテーブルより閲覧実績データとして前記アクションの有無または処理回数の少なくともいずれかのデータを抽出し、前記アクションの有無または処理回数のいずれかのデータを広告コンテンツ毎に集計して各広告コンテンツの閲覧実績を、アクションの有無または処理総数の少なくともいずれかについて算定しメモリに格納するものであり、
前記露出量判定部は、メモリに格納されている広告コンテンツ毎の閲覧実績たるアクションの有無または処理総数の少なくともいずれかと、前記広告露出量テーブルにおける該当広告コンテンツの必要露出量の情報とを比較し、前記広告コンテンツが必要露出量だけ露出されたか否か判定するものである、
ことを特徴とする請求項１〜３のいずれかに記載の広告露出量制御システム。
【請求項５】
前記広告露出量テーブルにおける必要露出量の情報は、ユーザ端末での広告コンテンツの必要閲覧量達成のフラグの有無または総数に関する情報であり、
前記ログ取得部が取得する閲覧実績データは、前記フラグの情報であり、
前記閲覧実績算定部は、前記広告閲覧ログテーブルより閲覧実績データとして前記フラグのデータを抽出し、前記フラグを広告コンテンツ毎に集計して各広告コンテンツの閲覧実績をフラグの有無または総数の情報としてメモリに格納するものであり、
前記露出量判定部は、メモリに格納されている広告コンテンツ毎の閲覧実績たるフラグお有無または総数と、前記広告露出量テーブルにおける該当広告コンテンツの必要露出量の情報とを比較し、前記広告コンテンツが必要露出量だけ露出されたか否か判定するものである、
ことを特徴とする請求項１〜４のいずれかに記載の広告露出量制御システム。
【請求項６】
ユーザ端末での広告露出量の制御を行うコンピュータが、
ユーザ端末で閲覧された広告コンテンツの閲覧実績データを各ユーザ端末より取得し、この閲覧実績データを広告閲覧ログテーブルに格納する処理と、
前記広告閲覧ログテーブルに格納された閲覧実績データを抽出し、抽出した各閲覧実績のデータを広告コンテンツ毎に集計して各広告コンテンツの閲覧実績を算定しメモリに格納する処理と、
前記メモリに格納されている広告コンテンツ毎の閲覧実績と、広告コンテンツ毎の必要露出量の情報を記憶する広告露出量テーブルにおける該当広告コンテンツの必要露出量の情報とを比較し、前記広告コンテンツが必要露出量だけ露出されたか否か判定する処理と、
前記判定の結果、前記広告コンテンツが必要露出量だけ露出されたと判定された場合、該当広告コンテンツの閲覧をしているユーザ端末を前記広告閲覧ログテーブルで特定し、ここで特定したユーザ端末に対し、該当広告コンテンツの削除または閲覧停止の指示を通知する処理と
を実行することを特徴とする広告露出量制御方法。
【請求項７】
ユーザ端末での広告露出量の制御を行うコンピュータに、
ユーザ端末で閲覧された広告コンテンツの閲覧実績データを各ユーザ端末より取得し、この閲覧実績データを広告閲覧ログテーブルに格納するステップと、
前記広告閲覧ログテーブルに格納された閲覧実績データを抽出し、抽出した各閲覧実績のデータを広告コンテンツ毎に集計して各広告コンテンツの閲覧実績を算定しメモリに格納するステップと、
前記メモリに格納されている広告コンテンツ毎の閲覧実績と、広告コンテンツ毎の必要露出量の情報を記憶する広告露出量テーブルにおける該当広告コンテンツの必要露出量の情報とを比較し、前記広告コンテンツが必要露出量だけ露出されたか否か判定するステップと、
前記判定の結果、前記広告コンテンツが必要露出量だけ露出されたと判定された場合、該当広告コンテンツの閲覧をしているユーザ端末を前記広告閲覧ログテーブルで特定し、ここで特定したユーザ端末に対し、該当広告コンテンツの削除または閲覧停止の指示を通知するステップと、
を実行させる広告露出量制御プログラム。
【請求項８】
広告露出量の制御を行う端末であって、
広告コンテンツの閲覧に応じて、閲覧された広告コンテンツの閲覧実績データを広告閲覧ログ記憶部に格納し、前記広告コンテンツの以後の閲覧に伴って該当レコードの閲覧実績データを更新すると共に、前記閲覧実績データを広告配信サーバに送信するログ処理部と、
広告コンテンツ毎の必要露出量の情報を前記広告配信サーバより取得し広告露出量記憶部に格納する露出量テーブル取得部と、
前記広告閲覧ログ記憶部に格納された閲覧実績データを抽出し、抽出した各閲覧実績と、前記広告露出量記憶部における該当広告コンテンツの必要露出量の情報とを比較し、前記広告コンテンツが必要露出量だけ露出されたか否か判定する、露出量判定部と、
前記判定の結果、前記広告コンテンツが必要露出量だけ露出されたと判定された場合、前記広告閲覧ログ記憶部における該当広告コンテンツのレコードに必要露出量達成のフラグを設定し、前記フラグが設定されている広告コンテンツの当該ユーザ端末での削除または表示禁止設定を行う、閲覧終了処理部と、
を備える広告露出量制御端末。
【発明の詳細な説明】
【技術分野】
【０００１】
本発明は、広告露出量制御システム、広告露出量制御方法、広告露出量制御プログラム、および広告露出量制御端末に関し、具体的には、配信サーバから配信される広告コンテンツの、ユーザ端末での閲覧実績に応じた閲覧制御を行う技術に関する。なお、本発明で露出量を制御する対象としては、広告以外のコンテンツも含まれる。
【背景技術】
【０００２】
例えば広告情報の管理手法として、衛星電波または地上波等により広告情報を送信し、視聴者による広告視聴を促進すると共に、どんな広告が嗜好されているかを、広告主に伝え、適確な広告料金を徴収することを目的とした、広告主から提供された広告情報を広告記憶手段に記憶し、該広告記憶手段から広告情報を読み出し、該読み出した広告情報を、情報伝送路を介して送信し、該広告情報を再生した放送受信端末装置の履歴情報を、前記情報伝送路と同じまたは異なる情報伝送路を介して受信し、該履歴情報を用いて、前記広告情報の広告主に対して請求する広告料金を算出することを特徴とする広告情報提供方法（特許文献１参照）などが提案されている。
【特許文献１】特開２００２−１５７５１６号公報
【発明の開示】
【発明が解決しようとする課題】
【０００３】
ところで、一般のマスメディア等で提供される広告は、広告主からマスメディアを通じて消費者に向けて一方的に流されるもので、消費者にとって広告がメディアに登場してくる頻度等はほぼコントロールできなかった。一方、広告主としては、消費者が確かに広告閲覧を行った実績（商品・サービスの購入といった広告効果につながる）の確実なデータが得られにくい現状をして、とにかくマスメディア等との契約で可能な限り広告枠を確保し広告情報をはめこむ状況が多い。そのため、徒に広告費用を増大させると共に、広告の過剰露出によりかえって該当商品・サービス等の消費者からのイメージダウンを被る惧れもあった。
【０００４】
そこで、本発明は上記課題を鑑みてなされたものであり、広告露出量の適正化を図り、広告費用の低減や過剰露出による消費者からのイメージダウン回避を可能とする、広告露出量制御システム、広告露出量制御方法、広告露出量制御プログラム、および広告露出量制御端末を提供することを目的とする。
【課題を解決するための手段】
【０００５】
本発明の広告露出量制御システムは、ユーザ端末での広告露出量の制御を行うシステムであって、ユーザ端末で閲覧された広告コンテンツの閲覧実績データを各ユーザ端末より取得し、この閲覧実績データを広告閲覧ログテーブルに格納するログ取得部と、前記広告閲覧ログテーブルに格納された閲覧実績データを抽出し、抽出した各閲覧実績のデータを広告コンテンツ毎に集計して各広告コンテンツの閲覧実績を算定しメモリに格納する、閲覧実績算定部と、前記メモリに格納されている広告コンテンツ毎の閲覧実績と、広告コンテンツ毎の必要露出量の情報を記憶する広告露出量テーブルにおける該当広告コンテンツの必要露出量の情報とを比較し、前記広告コンテンツが必要露出量だけ露出されたか否か判定する、露出量判定部と、前記判定の結果、前記広告コンテンツが必要露出量だけ露出されたと判定された場合、該当広告コンテンツの閲覧をしているユーザ端末を前記広告閲覧ログテーブルで特定し、ここで特定したユーザ端末に対し、該当広告コンテンツの削除または閲覧停止の指示を通知する、閲覧終了指示部とを備える。
【０００６】
また、前記広告露出量制御システムにおいて、広告コンテンツと広告コンテンツの配信先であるユーザ端末とを対応付けて記憶する配信情報テーブルと、前記判定の結果、前記広告コンテンツが必要露出量だけ露出されたと判定された場合、該当広告コンテンツの閲覧を行ったユーザ端末が未登録の広告コンテンツを前記配信情報テーブルにて所定数検索し、ここで検索した所定数の広告コンテンツを前記ユーザ端末に対し配信する、配信処理部と、を備えるとしてもよい。
【０００７】
また、前記広告露出量制御システムにおいて、前記広告露出量テーブルにおける必要露出量の情報は、閲覧人数、閲覧回数、および閲覧時間の少なくともいずれかまたはこれらの組合せであり、前記ログ取得部がユーザ端末から取得する閲覧実績データは、閲覧回数と閲覧時間の少なくともいずれかであり、前記閲覧実績算定部は、前記広告閲覧ログテーブルより閲覧実績データとして、閲覧回数および閲覧時間の少なくともいずれかのデータを抽出するか、または閲覧実績データの含むユーザ端末の情報から閲覧人数を算定し、前記閲覧人数、閲覧回数、および閲覧時間の少なくともいずれかのデータを広告コンテンツ毎に集計して各広告コンテンツの閲覧実績を、閲覧人数、閲覧回数、および閲覧時間の少なくともいずれかについて算定しメモリに格納するものであり、前記露出量判定部は、メモリに格納されている広告コンテンツ毎の閲覧実績たる閲覧人数、閲覧回数、および閲覧時間の少なくともいずれかまたはこれらの組合せと、前記広告露出量テーブルにおける該当広告コンテンツの必要露出量の情報とを比較し、前記広告コンテンツが必要露出量だけ露出されたか否か判定するものである、としてもよい。
【０００８】
また、前記広告露出量制御システムにおいて、前記広告露出量テーブルにおける必要露出量の情報は、広告コンテンツ閲覧に伴ってユーザ端末での実行が期待される、メール送信、ＵＲＬ表示クリック、電話発呼、広告の詳細情報表示指示の少なくともいずれかのアクションの有無または処理総数の少なくともいずれかであり、前記ログ取得部が取得する閲覧実績データは、前記アクションの有無または処理回数の少なくともいずれかであり、前記閲覧実績算定部は、前記広告閲覧ログテーブルより閲覧実績データとして前記アクションの有無または処理回数の少なくともいずれかのデータを抽出し、前記アクションの有無または処理回数のいずれかのデータを広告コンテンツ毎に集計して各広告コンテンツの閲覧実績を、アクションの有無または処理総数の少なくともいずれかについて算定しメモリに格納するものであり、前記露出量判定部は、メモリに格納されている広告コンテンツ毎の閲覧実績たるアクションの有無または処理総数の少なくともいずれかと、前記広告露出量テーブルにおける該当広告コンテンツの必要露出量の情報とを比較し、前記広告コンテンツが必要露出量だけ露出されたか否か判定するものであるとしてもよい。
【０００９】
また、前記広告露出量制御システムにおいて、前記広告露出量テーブルにおける必要露出量の情報は、ユーザ端末での広告コンテンツの必要閲覧量達成のフラグの有無または総数に関する情報であり、前記ログ取得部が取得する閲覧実績データは、前記フラグの情報であり、前記閲覧実績算定部は、前記広告閲覧ログテーブルより閲覧実績データとして前記フラグのデータを抽出し、前記フラグの有無または数を広告コンテンツ毎に集計して各広告コンテンツの閲覧実績をフラグの有無または総数について算定しメモリに格納するものであり、前記露出量判定部は、メモリに格納されている広告コンテンツ毎の閲覧実績たるフラグの有無または総数と、前記広告露出量テーブルにおける該当広告コンテンツの必要露出量の情報とを比較し、前記広告コンテンツが必要露出量だけ露出されたか否か判定するものであるとしてもよい。
【００１０】
また、本発明の広告露出量制御方法は、ユーザ端末での広告露出量の制御を行うコンピュータが、ユーザ端末で閲覧された広告コンテンツの閲覧実績データを各ユーザ端末より取得し、この閲覧実績データを広告閲覧ログテーブルに格納する処理と、前記広告閲覧ログテーブルに格納された閲覧実績データを抽出し、抽出した各閲覧実績のデータを広告コンテンツ毎に集計して各広告コンテンツの閲覧実績を算定しメモリに格納する処理と、前記メモリに格納されている広告コンテンツ毎の閲覧実績と、広告コンテンツ毎の必要露出量の情報を記憶する広告露出量テーブルにおける該当広告コンテンツの必要露出量の情報とを比較し、前記広告コンテンツが必要露出量だけ露出されたか否か判定する処理と、前記判定の結果、前記広告コンテンツが必要露出量だけ露出されたと判定された場合、該当広告コンテンツの閲覧をしているユーザ端末を前記広告閲覧ログテーブルで特定し、ここで特定したユーザ端末に対し、該当広告コンテンツの削除または閲覧停止の指示を通知する処理とを実行することを特徴とする。
【００１１】
また、本発明の広告露出量制御プログラムは、ユーザ端末での広告露出量の制御を行うコンピュータに、ユーザ端末で閲覧された広告コンテンツの閲覧実績データを各ユーザ端末より取得し、この閲覧実績データを広告閲覧ログテーブルに格納するステップと、前記広告閲覧ログテーブルに格納された閲覧実績データを抽出し、抽出した各閲覧実績のデータを広告コンテンツ毎に集計して各広告コンテンツの閲覧実績を算定しメモリに格納するステップと、前記メモリに格納されている広告コンテンツ毎の閲覧実績と、広告コンテンツ毎の必要露出量の情報を記憶する広告露出量テーブルにおける該当広告コンテンツの必要露出量の情報とを比較し、前記広告コンテンツが必要露出量だけ露出されたか否か判定するステップと、前記判定の結果、前記広告コンテンツが必要露出量だけ露出されたと判定された場合、該当広告コンテンツの閲覧をしているユーザ端末を前記広告閲覧ログテーブルで特定し、ここで特定したユーザ端末に対し、該当広告コンテンツの削除または閲覧停止の指示を通知するステップと、を実行させることを特徴とする。
【００１２】
また、本発明の広告露出量制御端末は、広告露出量の制御を行う端末であって、広告コンテンツの閲覧に応じて、閲覧された広告コンテンツの閲覧実績データを広告閲覧ログ記憶部に格納し、前記広告コンテンツの以後の閲覧に伴って該当レコードの閲覧実績データを更新すると共に、前記閲覧実績データを広告配信サーバに送信するログ処理部と、広告コンテンツ毎の必要露出量の情報を前記広告配信サーバより取得し広告露出量記憶部に格納する露出量テーブル取得部と、前記広告閲覧ログ記憶部に格納された閲覧実績データを抽出し、抽出した各閲覧実績と、前記広告露出量記憶部における該当広告コンテンツの必要露出量の情報とを比較し、前記広告コンテンツが必要露出量だけ露出されたか否か判定する、露出量判定部と、前記判定の結果、前記広告コンテンツが必要露出量だけ露出されたと判定された場合、前記広告閲覧ログ記憶部における該当広告コンテンツのレコードに必要露出量達成のフラグを設定し、前記フラグが設定されている広告コンテンツの当該ユーザ端末での削除または表示禁止設定を行う、閲覧終了処理部と、を備える。
【００１３】
その他、本願が開示する課題、及びその解決方法は、発明の実施の形態の欄、及び図面により明らかにされる。
【発明の効果】
【００１４】
本発明によれば、広告露出量の適正化を図り、広告費用の低減や過剰露出による消費者からのイメージダウン回避が可能となる。
【発明を実施するための最良の形態】
【００１５】
−−−システム構成−−−
以下に本発明の実施形態について図面を用いて詳細に説明する。図１は本実施形態における広告露出量制御システムを含むネットワーク構成図である。本実施形態における広告露出量制御システム１００（以下、システム１００）は、ユーザ端末での広告露出量の制御を行うシステムであって、例えば、携帯電話機などのユーザ端末２００へ広告コンテンツ（電子データ）を配信する広告配信サーバを想定できる。勿論、本実施形態は一例であり、ユーザ端末２００での広告コンテンツ閲覧の状況がネットワークを介してシステム１００側で認識可能である状況であれば、いずれの状況であっても本発明を適用可能である。
【００１６】
前記システム１００は、広告露出量制御方法を実行する機能を実現すべく書き換え可能メモリなどのプログラムデータベース１０１に格納されたプログラム１０２をメモリ１０３に読み出し、演算装置たるＣＰＵ１０４により実行する。また、前記システム１００は、コンピュータ装置が一般に備えている各種キーボードやボタン類といった入力インターフェイス１０５や、ディスプレイなどの出力インターフェイス１０６、ならびにユーザ端末２００などとの間のデータ授受を担う通信手段１０７などを有している。
【００１７】
システム１００は、前記通信手段１０７により、前記ユーザ端末２００と例えばインターネットやＬＡＮ、携帯電話網、シリアル・インターフェース通信線などのネットワーク１４０を介して接続しデータ授受を実行する。
【００１８】
続いて、前記システム１００が例えばプログラム１０２に基づき構成・保持する機能部につき説明を行う。前記システム１００は、ユーザ端末２００で閲覧された広告コンテンツの閲覧実績データを各ユーザ端末２００より取得し、この閲覧実績データを広告閲覧ログテーブル１２５に格納するログ取得部１１０を備える。
【００１９】
また、前記システム１００は、前記広告閲覧ログテーブル１２５に格納された閲覧実績データを抽出し、抽出した各閲覧実績のデータを広告コンテンツ毎に集計して各広告コンテンツの閲覧実績を算定しメモリ１０３に格納する、閲覧実績算定部１１１を備える。
【００２０】
また、前記システム１００は、前記メモリ１０３に格納されている広告コンテンツ毎の閲覧実績と、広告コンテンツ毎の必要露出量の情報を記憶する広告露出量テーブル１２６における該当広告コンテンツの必要露出量の情報とを比較し、前記広告コンテンツが必要露出量だけ露出されたか否か判定する、露出量判定部１１２を備える。
【００２１】
また、前記システム１００は、前記判定の結果、前記広告コンテンツが必要露出量だけ露出されたと判定された場合、該当広告コンテンツの閲覧をしているユーザ端末２００を前記広告閲覧ログテーブル１２５で特定し、ここで特定したユーザ端末２００に対し、該当広告コンテンツの削除または閲覧停止の指示を通知する、閲覧終了指示部１１３を備える。
【００２２】
また、前記システム１００は、広告コンテンツと広告コンテンツの配信先であるユーザ端末２００とを対応付けて記憶する配信情報テーブル１２７を備えて、前記露出量判定部１１２による判定の結果、前記広告コンテンツが必要露出量だけ露出されたと判定された場合、該当広告コンテンツの閲覧を行ったユーザ端末２００が未登録の広告コンテンツを前記配信情報テーブル１２７にて所定数検索し、ここで検索した所定数の広告コンテンツを前記ユーザ端末２００に対し配信する、配信処理部１１４を備えるとしてもよい。
【００２３】
なお、前記システム１００において、前記広告露出量テーブル１２６における必要露出量の情報は、閲覧人数、閲覧回数、および閲覧時間の少なくともいずれかまたはこれらの組合せであり、前記ログ取得部１１０がユーザ端末２００から取得する閲覧実績データは、閲覧回数と閲覧時間の少なくともいずれかであるとできる。
【００２４】
この場合、前記閲覧実績算定部１１１は、前記広告閲覧ログテーブル１２５より閲覧実績データとして、閲覧回数および閲覧時間の少なくともいずれかのデータを抽出するか、または閲覧実績データの含むユーザ端末２００の情報から閲覧人数を算定し、前記閲覧人数、閲覧回数、および閲覧時間の少なくともいずれかのデータを広告コンテンツ毎に集計して各広告コンテンツの閲覧実績を、閲覧人数、閲覧回数、および閲覧時間の少なくともいずれかについて算定しメモリ１０３に格納するものとなる。
【００２５】
またこの場合、前記露出量判定部１１２は、メモリ１０３に格納されている広告コンテンツ毎の閲覧実績たる閲覧人数、閲覧回数、および閲覧時間の少なくともいずれかまたはこれらの組合せと、前記広告露出量テーブル１２６における該当広告コンテンツの必要露出量の情報とを比較し、前記広告コンテンツが必要露出量だけ露出されたか否か判定するものとなる。
【００２６】
また、前記広告露出量テーブル１２６における必要露出量の情報は、広告コンテンツ閲覧に伴ってユーザ端末２００での実行が期待される、メール送信、ＵＲＬ表示クリック、電話発呼、広告の詳細情報表示指示の少なくともいずれかのアクションの有無または処理総数の少なくともいずれかであり、前記ログ取得部１１０が取得する閲覧実績データは、前記アクションの有無または処理回数の少なくともいずれかであるとできる。
【００２７】
この場合、前記閲覧実績算定部１１１は、前記広告閲覧ログテーブル１２５より閲覧実績データとして前記アクションの有無または処理回数の少なくともいずれかのデータを抽出し、前記アクションの有無または処理回数のいずれかのデータを広告コンテンツ毎に集計して各広告コンテンツの閲覧実績を、アクションの有無または処理総数の少なくともいずれかについて算定しメモリ１０３に格納するものとなる。
【００２８】
またこの場合、前記露出量判定部１１２は、メモリ１０３に格納されている広告コンテンツ毎の閲覧実績たるアクションの有無または処理総数の少なくともいずれかと、前記広告露出量テーブル１２６における該当広告コンテンツの必要露出量の情報とを比較し、前記広告コンテンツが必要露出量だけ露出されたか否か判定するものとなる。
【００２９】
また、前記広告露出量テーブル１２６における必要露出量の情報は、ユーザ端末での広告コンテンツの必要閲覧量達成のフラグの有無または総数に関する情報であり、前記ログ取得部１１０が取得する閲覧実績データは、前記フラグの情報であるとできる。
【００３０】
この場合、前記閲覧実績算定部１１１は、前記広告閲覧ログテーブル１２５より閲覧実績データとして前記フラグのデータを抽出し、前記フラグの数を広告コンテンツ毎に集計して各広告コンテンツの閲覧実績をフラグの有無または総数について算定しメモリ１０３に格納するものとなる。またこの場合、前記露出量判定部１１２は、メモリ１０３に格納されている広告コンテンツ毎の閲覧実績たるフラグの有無または総数と、前記広告露出量テーブル１２６における該当広告コンテンツの必要露出量の情報とを比較し、前記広告コンテンツが必要露出量だけ露出されたか否か判定するものとなる。
【００３１】
また、前記ユーザ端末２００は一例として携帯電話機を想定でき、広告コンテンツを提供する広告配信サーバ（前記システム１００を想定することもできる）から広告コンテンツの配信を受けて、入力インターフェイスを通じたユーザからの指示に応じてディスプレイ装置等の出力インターフェイスへの前記広告コンテンツの出力を実行するものとする。また、広告コンテンツの閲覧処理に応じて閲覧実績のデータを自身で保持する一方でシステム１００にも送信し、前記システム１００からの広告露出量制御をうける端末となる。他方、このユーザ端末２００は、自立的に広告露出量制御の処理を実行することも想定できる。
【００３２】
こうしたユーザ端末２００は、書き換え可能メモリなどのプログラムデータベース２０１に格納されたプログラム２０２をメモリ２０３に読み出し、演算装置たるＣＰＵ２０４により実行する。また、前記ユーザ端末２００は、コンピュータ装置が一般に備えている各種キーボードやボタン類といった入力インターフェイス２０５や、ディスプレイなどの出力インターフェイス２０６、ならびにシステム１００との間のデータ授受を担う通信手段２０７などを有している。
【００３３】
ユーザ端末２００は、前記通信手段２０７により、前記システム１００と例えばインターネットやＬＡＮ、携帯電話網、シリアル・インターフェース通信線などのネットワーク１４０を介して接続しデータ授受を実行する。
【００３４】
続いて、前記ユーザ端末２００が例えばプログラム２０２に基づき構成・保持する機能部につき説明を行う。前記ユーザ端末２００は、広告コンテンツの閲覧に応じて、閲覧された広告コンテンツの閲覧実績データを広告閲覧ログ記憶部２１５に格納し、前記広告コンテンツの以後の閲覧に伴って該当レコードの閲覧実績データを更新すると共に、前記閲覧実績データを広告配信サーバたるシステム１００に送信するログ処理部２１０を備える。
【００３５】
また、前記ユーザ端末２００は、広告コンテンツ毎の必要露出量の情報を前記広告配信サーバたるシステム１００より取得し広告露出量記憶部２１６に格納する露出量テーブル取得部２１１を備える。
【００３６】
また、前記ユーザ端末２００は、前記広告閲覧ログ記憶部２１５に格納された閲覧実績データを抽出し、抽出した各閲覧実績と、前記広告露出量記憶部２１６における該当広告コンテンツの必要露出量の情報とを比較し、前記広告コンテンツが必要露出量だけ露出されたか否か判定する、露出量判定部２１２を備える。
【００３７】
また、前記ユーザ端末２００は、前記判定の結果、前記広告コンテンツが必要露出量だけ露出されたと判定された場合、前記広告閲覧ログ記憶部２１５における該当広告コンテンツのレコードに必要露出量達成のフラグを設定し、前記フラグが設定されている広告コンテンツの当該ユーザ端末２００での削除または表示禁止設定を行う、閲覧終了処理部２１３を備える。
【００３８】
なお、これまで示したシステム１００における各機能部１１０〜１１４、およびユーザ端末２００における各機能部２１０〜２１３は、ハードウェアとして実現してもよいし、メモリやＨＤＤ（Hard Disk Drive）などの適宜な記憶装置に格納したプログラムとして実現するとしてもよい。この場合、前記ＣＰＵ１０４、２０４の各々らがプログラム実行に合わせて記憶装置より該当プログラムをメモリ１０３、２０３に各々読み出して、これを実行することとなる。
【００３９】
また、前記ネットワーク１４０に関しては、インターネット、ＬＡＮの他、ＡＴＭ回線や専用回線、ＷＡＮ（Wide Area Network）、電灯線ネットワーク、無線ネットワーク、公衆回線網、携帯電話網、シリアル・インターフェース通信線など様々なネットワークを採用することも出来る。また、ＶＰＮ（Virtual Private Network）など仮想専用ネットワーク技術を用いれば、インターネットを採用した際にセキュリティ性を高めた通信が確立され好適である。なお、前記シリアル・インターフェイスは、単一の信号線を用いて１ビットずつ順次データを送るシリアル伝送で、外部機器と接続するためのインターフェースを指し、通信方式としてはRS-232C、RS-422、IrDA、USB、IEEE1394、ファイバ・チャネルなどが想定できる。
【００４０】
−−−テーブル構造例−−−
次に、本実施形態におけるシステム１００が利用するテーブルの構造について説明する。図２は本実施形態における、（ａ）広告閲覧ログテーブル１２５、（ｂ）広告露出量テーブル１２６、（ｃ）配信情報テーブル１２７の各データ構造例を示す図である。なお、これらのテーブルは、システム１００がアクセス可能なハードディスクドライブ１３０などの記憶装置に構成されているものとする。勿論、このハードディスクドライブ１３０が、システム１００と直接接続されているのか、それともネットワーク１４０上にあるものかは問わない。
【００４１】
前記広告閲覧ログテーブル１２５は、ユーザ端末２００から取得した広告コンテンツの閲覧実績データを格納するテーブルである。この広告閲覧ログテーブル１２５は、例えば、広告コンテンツの広告ＩＤをキーとして、当該広告コンテンツの閲覧者たるユーザのＩＤ、閲覧実績データとしての、閲覧回数、閲覧時間、アクション（ユーザ端末２００での広告閲覧に伴って期待されるメール送信、ＵＲＬ表示クリック、電話発呼、広告の詳細情報表示指示）、最終閲覧日時、フラグ（ユーザ端末での広告コンテンツの必要閲覧量達成を示すフラグ）といったデータを関連づけたレコード１０の集合体となっている。
【００４２】
また、前記広告露出量テーブル１２６は、予め広告主が定めた広告コンテンツ毎の必要露出量の情報を記憶するテーブルである。この広告露出量テーブル１２６は、広告コンテンツの広告ＩＤをキーとして、必要な露出人数（総数）、広告の開始・終了日時、閲覧回数（１人あたり）、閲覧時間（１人あたり）、アクション（ユーザ端末２００での広告閲覧に伴って期待されるメール送信、ＵＲＬ表示クリック、電話発呼、広告の詳細情報表示指示）といったデータを関連づけたレコード１１の集合体となっている。
【００４３】
また、前記配信情報テーブル１２７は、広告コンテンツと広告コンテンツの配信先であるユーザ端末２００とを対応付けて記憶するテーブルである。この配信情報テーブル１２７は、広告コンテンツの広告ＩＤをキーとして、ユーザＩＤ、広告主ＩＤといったデータを関連づけたレコード１２の集合体となっている。
【００４４】
また、本実施形態におけるユーザ端末２００が利用するテーブルの構造について説明する。図３は、本実施形態における、（ａ）広告閲覧ログ記憶部２１５、（ｂ）広告露出量記憶部２１６の各データ構造例を示す図である。
【００４５】
前記広告閲覧ログ記憶部２１５は、広告コンテンツがユーザ端末２００で閲覧される事象に応じてユーザ端末２００にて生成される広告毎の閲覧ログデータを格納するテーブルである。この広告閲覧ログ記憶部２１５は、例えば広告コンテンツの広告ＩＤをキーとして、当該広告コンテンツの閲覧実績データとしての、閲覧回数、閲覧時間、アクション（ユーザ端末２００での広告閲覧に伴って期待されるメール送信、ＵＲＬ表示クリック、電話発呼、広告の詳細情報表示指示）、最終閲覧日時、フラグ（ユーザ端末での広告コンテンツの必要閲覧量達成を示すフラグ）といったデータを関連づけたレコード２０の集合体となっている。
【００４６】
また、前記広告露出量記憶部２１６は、予め広告主が定めた広告コンテンツ毎の必要露出量の情報をシステム１００から取得・格納したテーブルである。この広告露出量記憶部２１６は、広告コンテンツの広告ＩＤをキーとして、広告の開始・終了日時、閲覧回数（１人あたり）、閲覧時間（１人あたり）、アクション（ユーザ端末２００での広告閲覧に伴って期待されるメール送信、ＵＲＬ表示クリック、電話発呼、広告の詳細情報表示指示）といったデータを関連づけたレコード２１の集合体となっている。
【００４７】
−−−処理フロー例１−−−
以下、本実施形態における広告露出量制御方法の実際手順について、図に基づき説明する。なお、以下で説明する広告露出量制御方法に対応する各種動作のうち前記システム１００に関するものは、前記システム１００がメモリ１０３に読み出して実行するプログラム１０２によって実現される。そして、このプログラム１０２は、以下に説明される各種の動作を行うためのコードから構成されている。
【００４８】
図４は、本実施形態の広告露出量制御方法の処理手順例１を示す図である。前記システム１００は、ユーザ端末２００で閲覧される広告コンテンツの露出量制御を行うコンピュータ装置であるが、それと同時に、例えばユーザ端末２００に広告コンテンツを配信する広告配信サーバであってもよい。この場合、システム１００は、ユーザ端末２００に対し、広告主から預かっている広告コンテンツのデータをネットワーク１４０を介して配信することとなる（ｓ１００）。ここで配信する広告コンテンツのデータは、例えばシステム１００がユーザ端末２００に送信した広告選択画面データ等の入力インターフェイスを介して、ユーザ側で指定されたものとしてもよい。或いは、システム１００がユーザ属性に応じて選択した広告コンテンツを配信するとしてもよい（そのためにシステム１００はユーザ属性と広告コンテンツとの対応付けを定めたテーブルを備える）。なお、広告コンテンツが配信されるユーザ端末２００については、広告配信サーバであるシステム１００が、前記配信情報テーブル１２７において、広告コンテンツの広告ＩＤとユーザＩＤとを対応付けて記憶している。
【００４９】
一方、広告コンテンツのデータをシステム１００から受信したユーザ端末２００では、広告コンテンツのデータを、例えばブラウザプログラム２２０等を通じてディスプレイ装置に表示し、ユーザによる閲覧に供する（ｓ１０１）。ここでは広告コンテンツのデータについて説明しているが、この広告コンテンツのデータが、ユーザ所望のコンテンツ（ニュース、動画、地図、街情報、ゲームなど）に付帯してシステム１００から配信される状況を想定できる。つまり広告コンテンツは、ユーザ所望のコンテンツに付帯的に配信される広告、という位置づけである。こうした状況であれば、ユーザ端末２００においては、前記ユーザ所望のコンテンツの再生の合間に広告コンテンツの表示がなされることとなる。
【００５０】
ユーザ端末２００における広告コンテンツの閲覧に応じて、ユーザ端末２００では閲覧された広告コンテンツの閲覧実績データを生成してシステム１００に送信する（ｓ１０２）。この閲覧実績データは、前記広告閲覧ログテーブル１２５のレコード１０と同内容のデータとなる。つまり、ユーザ端末２００から送信されてくる閲覧実績データが広告閲覧ログテーブル１２５のレコード１０を形成するのである。
【００５１】
システム１００のログ取得部１１０は、この閲覧実績データをユーザ端末２００から取得し、広告閲覧ログテーブル１２５に格納する（ｓ１０３）。閲覧実績データには、上述したように、ユーザ端末２００における広告コンテンツの閲覧回数、閲覧時間、アクションといった情報が含まれている。ユーザ端末２００からの閲覧実績データの受信が初めてである広告コンテンツについては、閲覧実績データをそのまま広告閲覧ログテーブル１２５に格納する。一方、前記広告コンテンツについての閲覧実績データが初めてではなかった場合（つまり同じ広告ＩＤの紐付いたレコード１０が広告閲覧ログテーブル１２５に既存）、広告閲覧ログテーブル１２５における該当レコード１０を新たに受信した閲覧実績データにより更新する。この更新処理は、たとえば、広告閲覧ログテーブル１２５における該当レコード１０の閲覧回数が“２回”であったとして、ユーザ端末２００から受信した新たな閲覧実績データによれば、閲覧回数が“３回”であれば、前記該当レコード１０の閲覧回数を“３回”に更新するといった処理である。
【００５２】
次に、システム１００の閲覧実績算定部１１１は、前記広告閲覧ログテーブル１２５に格納された閲覧実績データを抽出し、抽出した各閲覧実績のデータを広告コンテンツ毎に集計して各広告コンテンツの閲覧実績を算定する（ｓ１０４）。ここで算定した閲覧実績は、前記閲覧実績算定部１１１がメモリ１０３に格納する。
【００５３】
前記閲覧実績算定部１１１による閲覧実績の算定処理は、例えば、広告閲覧ログテーブル１２５より閲覧実績データとして閲覧回数および閲覧時間の情報を読み出す。また更に、同じ広告ＩＤが紐付いている閲覧実績データの含むユーザ端末２００の数をカウントして閲覧人数を算定する。ここまでの処理で閲覧実績算定部１１１は、ある広告コンテンツの閲覧実績として、各ユーザ端末２００での閲覧回数、閲覧時間、ならびに当該広告コンテンツを閲覧したユーザ総数のデータを得ることができる。
【００５４】
また他にも閲覧実績算定部１１１は、広告閲覧ログテーブル１２５より閲覧実績データとして前記アクションの有無（または処理回数）のデータを読み出すとできる。この場合、前記閲覧実績算定部１１１は、各ユーザ端末２００における前記アクションの有無を閲覧実績として広告コンテンツ毎に集計することができる。
【００５５】
また他にも閲覧実績算定部１１１は、広告閲覧ログテーブル１２５より閲覧実績データとして前記フラグのデータを抽出するとできる。このフラグは、ユーザ端末２００での広告コンテンツの必要閲覧量達成に応じて設定されるフラグである。図２、３の各種テーブルで示したフラグの例で言えば、必要閲覧量を達成した、あるいは所定のアクションが実行された場合に、“１”のフラグが設定されている。他方、必要閲覧量を達成していない、あるいは所定のアクションが実行されていない場合には、“０”のフラグが設定される。従って、閲覧実績算定部１１１は、このフラグを集計することで広告コンテンツ毎の閲覧実績を得ることができる。
【００５６】
続いて前記システム１００の露出量判定部１１２は、前記メモリ１０３に格納されている広告コンテンツ毎の閲覧実績と、前記広告露出量テーブル１２６における該当広告コンテンツの必要露出量の情報とを比較し、前記広告コンテンツが必要露出量だけ露出されたか否か判定する（ｓ１０５）。前記露出量判定部１１２は、例えば、メモリ１０３に格納されている広告コンテンツ毎の閲覧実績たる閲覧回数（例：“５回”）、および閲覧時間（例：“４３秒”）の少なくともいずれかまたはこれらの組合せと、前記広告露出量テーブル１２６における該当広告コンテンツの必要露出量の情報（例：cm0001について、“３回”、“３０秒”）とを比較し、前記広告コンテンツが必要露出量だけ露出されたか否か判定するものとなる。上記例では、“cm0001”について、ユーザＩＤ“user0001”は、“５回”、“４３秒”閲覧している。一方で、この広告コンテンツ“cm0001”には一人当たり“３回”、“３０秒”の露出が必要と規定されている。両者の情報を比較すると、前記ユーザ“user0001”は、“cm0001”について規定された必要露出量を満足していると露出量判定部１１２は判定できる。
【００５７】
また他の判定内容として、前記露出量判定部１１２は、メモリ１０３に格納されている広告コンテンツ毎の閲覧実績たるアクションの有無（例：“メール”）と、前記広告露出量テーブル１２６における該当広告コンテンツの必要露出量の情報（例：“メール”）とを比較し、前記広告コンテンツが必要露出量だけ露出されたか否か判定するものとできる。上記例では、“cm0001”について、ユーザＩＤ“user0001”は、“メール”の送信を広告コンテンツの閲覧に応じて行っており、一方で、この広告コンテンツ“cm0001”には“メール”の送信が必要と規定されている。両者の情報を比較すると、前記ユーザ“user0001”は、“cm0001”について規定されたアクションを実行し、ひいては必要露出量を満足していると露出量判定部１１２は判定できる。
【００５８】
また他の判定内容として、前記露出量判定部１１２は、メモリ１０３に格納されている広告コンテンツ毎の閲覧実績たるフラグの有無（例：フラグ“１”）と、前記広告露出量テーブル１２６における該当広告コンテンツの必要露出量の情報（例：フラグ“１”）とを比較し、前記広告コンテンツが必要露出量だけ露出されたか否か判定するものとできる。上記例では、“cm0001”について、ユーザＩＤ“user0001”は、フラグ“１”が設定されており、一方で、この広告コンテンツ“cm0001”にはフラグ“１”の設定が必要と規定されている。両者の情報を比較すると、前記ユーザ“user0001”は、“cm0001”について規定された必要露出量を満足したと露出量判定部１１２は判定できる。また、前記露出量判定部１１２は、前記フラグの総数を広告コンテンツ毎に集計することでフラグ総数を算定し、このフラグ総数をもって、広告主が定めた必要露出量を満足したユーザ数と認識して、前記広告露出量テーブル１２６にて規定されている“露出人数”のクリアを判定できる。
【００５９】
続いて前記システム１００の閲覧終了指示部１１３は、前記判定の結果、前記広告コンテンツが必要露出量だけ露出されたと判定された場合（ｓ１０５：必要量達成）、該当広告コンテンツの閲覧をしているユーザ端末２００を前記広告閲覧ログテーブル１２５で特定し（ｓ１０６）、ここで特定したユーザ端末２００に対し、該当広告コンテンツの削除または閲覧停止の指示を通知する（ｓ１０７）。他方、前記広告コンテンツが必要露出量だけ露出されていないと判定された場合（ｓ１０５：必要量未達成）、処理をステップｓ１０４に戻す。
【００６０】
ユーザ端末２００では、この広告コンテンツの削除指示または閲覧停止指示を受信し（ｓ１０８）、該当広告コンテンツについて、それを格納しているメモリ１０３にて検索し、削除ないし閲覧停止フラグの設定を行う（ｓ１０９）。したがって、以後、このユーザ端末２００で前記広告コンテンツが再生されることはなくなる。
【００６１】
また、前記システム１００の配信処理部１１４は、前記露出量判定部１１２による判定（ステップｓ１０５）の結果、前記広告コンテンツが必要露出量だけ露出されたと判定された場合（ｓ１０５：必要量達成）、例えば前記ステップｓ１０７に続いて、該当広告コンテンツの閲覧を行った前記ユーザ端末２００が未登録となっている広告コンテンツを前記配信情報テーブル１２７にて所定数検索する（ｓ１１０）。そして前記配信処理部１１４は、前記検索した所定数の広告コンテンツを前記ユーザ端末２００に対し配信する（ｓ１１１）。つまり、必要閲覧量を達成した広告コンテンツについては削除等の閲覧停止処理をユーザ端末２００に指示する一方で、ここで閲覧停止処理がなされた広告コンテンツに代わる新たな広告コンテンツをユーザ端末２００に対して配信するのである。ユーザ端末２００ではここで配信された新たな広告コンテンツを受信してメモリ２０３に格納し（ｓ１１２→ｓ１０１）、以後の再生に備えることとなる。
【００６２】
したがって、ユーザ端末２００では必要閲覧量を達成していない広告コンテンツと、全く新しい広告コンテンツとが適宜に混在し、何度も繰り返し再生されてユーザが見飽きているような広告コンテンツがユーザ端末２００にて再生されるようなことがなくなるのである。
【００６３】
−−−処理フロー例２−−−
上記の処理フロー例１の他に、ユーザ端末２００が自立的に広告露出量制御の処理を実行する処理例も本実施形態においては想定可能である。図５は、本実施形態の広告露出量制御方法の処理手順例２を示す図である。なお前記ユーザ端末２００は一例として携帯電話機を想定できる。
【００６４】
ここで、前記ユーザ端末２００のログ処理部２１０は、広告コンテンツの閲覧に応じて、閲覧された広告コンテンツの閲覧実績データを広告閲覧ログ記憶部２１５に格納し、前記広告コンテンツの以後の閲覧に伴って該当レコード２０の閲覧実績データを更新すると共に、前記閲覧実績データを広告配信サーバたるシステム１００に送信する（Ｓ２００）。ここでの閲覧実績データは、上記広告閲覧ログテーブル１２５に格納されるレコード１０と同内容のデータとなる。一方、システム１００では前記閲覧実績データをユーザ端末２００より受信し、広告閲覧ログテーブル１２５に格納する（ｓ２０１）。
【００６５】
また、システム１００は、前記ユーザ端末２００に宛てて、広告コンテンツ毎の必要露出量の情報を送信する（ｓ２０２）。前記ユーザ端末２００の露出量テーブル取得部２１１は、前記広告コンテンツ毎の必要露出量の情報を前記広告配信サーバたるシステム１００より取得し広告露出量記憶部２１６に格納しておくものとする（ｓ２０３）。
【００６６】
続いて前記ユーザ端末２００の露出量判定部２１２は、前記広告閲覧ログ記憶部２１５に格納された閲覧実績データを抽出し（ｓ２０４）、抽出した各閲覧実績と、前記広告露出量記憶部２１６における該当広告コンテンツの必要露出量の情報とを比較し、前記広告コンテンツが必要露出量だけ露出されたか否か判定する（ｓ２０５）。ここでの判定処理は、上記システム１００にてのステップｓ１０５と同様のものとする。
【００６７】
また、前記ユーザ端末２００の閲覧終了処理部２１３は、前記ステップｓ２０５の判定の結果、前記広告コンテンツが必要露出量だけ露出されたと判定された場合（ｓ２０５：必要量達成）、前記広告閲覧ログ記憶部２１５における該当広告コンテンツのレコード２０に必要露出量達成のフラグを設定し（ｓ２０６）、前記フラグが設定されている広告コンテンツの当該ユーザ端末２００での削除または表示禁止設定を行う（ｓ２０７）。他方、前記広告コンテンツが必要露出量だけ露出されていないと判定された場合（ｓ２０５：必要量未達成）、処理をステップｓ２０４に戻す。こうして、ユーザ端末２００でも自立的に広告露出量の制御を実行することができる。
【００６８】
以上説明したように本実施形態によれば、ターゲットユーザ個人毎に対する広告の露出量を適切に制御することで、ユーザとしては同じ広告を不必要なまでに繰り返し見る必要がなくなり、広告主としては、露出量適正化を図って広告費の圧縮や過剰広告によるイメージダウンの回避が可能となる。また、ユーザ端末で表示される広告コンテンツは、広告主が予め定めた露出量の閲覧実績が得られたものについて他の広告と差し替えされることになるから、無差別に広告コンテンツのデータをシステム側とやりとりすることもなく、データ通信量の抑制が可能となる。したがって広告コンテンツの配信側（広告配信サーバ等）では、無駄なデータ通信を抑制でき、サーバ負荷の低減も図れる。
【００６９】
したがって、広告露出量の適正化を図り、広告費用の低減や過剰露出による消費者からのイメージダウン回避が可能となる。
【００７０】
以上、本発明の実施の形態について、その実施の形態に基づき具体的に説明したが、これに限定されるものではなく、その要旨を逸脱しない範囲で種々変更可能である。
【図面の簡単な説明】
【００７１】
【図１】本実施形態における広告露出量制御システムを含むネットワーク構成図である。
【図２】本実施形態における、（ａ）広告閲覧ログテーブル、（ｂ）広告露出量テーブル、（ｃ）配信情報テーブルの各データ構造例を示す図である。
【図３】本実施形態における、（ａ）広告閲覧ログ記憶部、（ｂ）広告露出量記憶部の各データ構造例を示す図である。
【図４】本実施形態の広告露出量制御方法の処理手順例１を示す図である。
【図５】本実施形態の広告露出量制御方法の処理手順例２を示す図である。
【符号の説明】
【００７２】
１００  広告露出量制御システム
１０１、２０１  プログラムデータベース
１０２、２０２  プログラム
１０３、２０３  メモリ
１０４、２０４  ＣＰＵ
１０５、２０５  入力インターフェイス
１０６、２０６  出力インターフェイス
１０７、２０７  通信手段
１１０  ログ取得部
１１１  閲覧実績算定部
１１２  露出量判定部
１１３  閲覧終了指示部
１１４  配信処理部
１２５  広告閲覧ログテーブル
１２６  広告露出量テーブル
１２７  配信情報テーブル
１３０  ハードディスクドライブ
１４０  ネットワーク
２００  ユーザ端末
２１０  ログ処理部
２１１  露出量テーブル取得部
２１２  露出量判定部
２１３  閲覧終了処理部
２１５  広告閲覧ログ記憶部
２１６  広告露出量記憶部
【図１】
2008009550.tif 000003
【図２】
2008009550.tif 000004
【図３】
2008009550.tif 000005
【図４】
2008009550.tif 000006
【図５】
2008009550.tif 000007